(57)【特許請求の範囲】
【請求項１】
ヘアキャッチャー本体の前側に左右両側から中央に向かって下り傾斜して外周よりも窪ませた複数の排水孔を有する排水部を備えると共に、後側に排水部よりも上方に立ち上げた有蓋筒状の立上部を備え、立上部をヘアキャッチャー本体の中心を中心とした中心角９０度以上の平面視略扇状に形成し、排水部をヘアキャッチャー本体の中心を中心とした中心角が１８０度を超える平面視略扇状に形成し、立上部の上端を閉塞する上面板部にオーバーフロー孔を多数形成し、上面板部から後側に向けて突出してその上面が上面板部の上面と連続する摘み部を形成して成ることを特徴とするヘアキャッチャー。
【発明の詳細な説明】
【技術分野】
【０００１】
本発明は排水口に設置されるヘアキャッチャーに関する。
【背景技術】
【０００２】
浴室の洗い場に形成される排水口には排水に含まれるゴミを捕集するためにヘアキャッチャーが設置される（例えば特許文献１）。
【０００３】
ところで、ヘアキャッチャーには排水孔がゴミで目詰まりした場合等に排水が溢れ出ることを防止するためにオーバーフロー水排出部を設けたものがあり、このヘアキャッチャーとしては図５に示すものがある。図示例の従来のヘアキャッチャー１は、ヘアキャッチャー本体２３から上下両端が開口した筒状のオーバーフロー水排出部２９′を立設し、該オーバーフロー水排出部２９′の中央の孔をオーバーフロー孔３１としている。
【０００４】
しかし、上記オーバーフロー孔３１は筒状の該オーバーフロー水排出部２９′の孔によって構成したものであるため開口面積が大きく、このためオーバーフロー孔３１から排水がなされる際に該排水に含まれる毛髪等のゴミがオーバーフロー孔３１を介して流出し、下流側の流路を詰まらせる恐れがある。また、図６に示すようにオーバーフロー水排出部２９′の補強のためにオーバーフロー孔３１の孔縁間にリブ４０を架設したものもあるが、このものはオーバーフロー孔３１をリブ４０で２区画に区切ったものにすぎず、このものにおいてもゴミを充分に捕集する機能はない。
【特許文献１】特開２００６−２４２３号公報
【発明の開示】
【発明が解決しようとする課題】
【０００５】
本発明は上記従来の問題点に鑑みてなされたものであって、ヘアキャッチャーよりも下流側の流路にゴミが流出して目詰まりが生じることを防止できるヘアキャッチャーを提供することを課題とするものである。
【課題を解決するための手段】
【０００６】
上記課題を解決するために本発明に係るヘアキャッチャーは、ヘアキャッチャー本体２３の前側に左右両側から中央に向かって下り傾斜して外周よりも窪ませた複数の排水孔２８を有する排水部２７を備えると共に、後側に排水部２７よりも上方に立ち上げた有蓋筒状の立上部３５を備え、立上部３５をヘアキャッチャー本体２３の中心を中心とした中心角９０度以上の平面視略扇状に形成し、排水部２７をヘアキャッチャー本体２３の中心を中心とした中心角が１８０度を超える平面視略扇状に形成し、立上部３５の上端を閉塞する上面板部３４にオーバーフロー孔３１を多数形成し、上面板部３４から後側に向けて突出してその上面が上面板部３４の上面と連続する摘み部３２を形成して成ることを特徴とする。
【０００７】
上記のようにヘアキャッチャー１から立ち上げた立上部３５にオーバーフロー孔３１を多数形成することで、多数のオーバーフロー孔３１を形成した立上部３５にてオーバーフロー水に含まれる毛髪等のゴミを捕集できる。
【発明の効果】
【０００８】
本発明では、多数のオーバーフロー孔を形成した立上部にてオーバーフロー水に含まれる毛髪等のゴミを捕集でき、これによりヘアキャッチャーよりも下流側の配管等で構成される流路にゴミが流出して目詰まりが生じることを防止できる。
【発明を実施するための最良の形態】
【０００９】
以下、本発明を添付図面に示す実施形態に基づいて説明する。
【００１０】
まず、本例のヘアキャッチャー１が設置される排水構造につき説明する。図３に示すように本例のヘアキャッチャー１が設置される排水口２は浴室の洗い場に形成したものである。浴室の床パン３は洗い場を構成する洗い場部４と浴槽が設置される浴槽設置部５を備えている。洗い場部４の浴槽設置部５側の端部には凹所６を形成してあり、凹所６の底部には取付口７を形成している。取付口７には排水トラップ８を取り付けてあり、該排水トラップ８は、取付口７の下方に配置される容器状のトラップ本体９と、トラップ本体９に取り付けた取付用筒体１０と、トラップ本体９の内側に挿入される封水筒体１１とを備えている。
【００１１】
トラップ本体９の上面に形成した開口部９ａには取付用筒体１０の下部をねじ込んで取り付けてあり、この取付用筒体１０の上端部外周から突設した上側鍔部１３とトラップ本体９の開口部９ａの周縁部とで取付口７の周縁部をパッキン１４を介して挟持することで、トラップ本体９は水密的に取付口７に取り付けられている。トラップ本体９の外周壁部の上部には出口部１５を設けてあり、出口部１５にはトラップ本体９内の排水を下水へ排出するための排水管１６を接続している。
【００１２】
取付用筒体１０の下端部内周からは下側鍔部１７を突設し、下側鍔部１７上には封水筒体１１の上端部に周設したフランジ部１８を載設している。封水筒体１１の下部はトラップ本体９の出口部１５よりも下方の位置まで挿入されて、トラップ本体９内の溜水内に浸かっており、これによりトラップ本体９内に封水部を形成している。排水口２は取付用筒体１０の上端開口部で構成してあり、該排水口２にヘアキャッチャー１を着脱自在に取り付けてある。
【００１３】
前述の凹所６には排水口２の上方を覆う排水カバー１９を配置している。排水カバー１９は外周部から下方に向けて突設した脚部２１を取付口７の周縁部よりも一段高くなった凹所６の底部に載置することでヘアキャッチャー１の上方に設置されている。排水カバー１９と凹所６の底部の間には排水カバー１９の外周縁から下方に突出した複数の脚部２１間に形成された開口１２からなる流水用隙間２２を形成してあり、流水用隙間２２は排水カバー１９の四方に形成されて排水が排水カバー１９の四方から流入するようにしてある。
【００１４】
上記排水構造にあっては、床パン３の洗い場部４上の水が凹所６の内周面と排水カバー１９の外周面との間の隙間２０から流水用隙間２２を介して排水カバー１９の下方に流入し、次いで排水口２に流入してヘアキャッチャー１で毛髪やゴミが捕集され、この後、封水筒体１１、トラップ本体９、排水管１６を順に介して外部に排出される。
【００１５】
以下、図１及び図２に基づいて上記排水口２に設置されるヘアキャッチャー１について詳述する。なお、以下の説明では、後述の排水部２７及び立上部３５のうち排水部２７側を前側とすると共に立上部３５側を後側とする。
【００１６】
図１に示す本例のヘアキャッチャー１は平面視円形で浅底皿状のヘアキャッチャー本体２３で主体を構成してある。ヘアキャッチャー本体２３の上端縁には外側方に突出する円環状の外周枠２４を設けてあり、該外周枠２４でヘアキャッチャー本体２３の外周縁部を構成している。図２に示すようにヘアキャッチャー本体２３の中央部を挟んだ外周枠２４の左右両側部分には下方に延出した延出部２５を形成してあり、各延出部２５にはヘアキャッチャー本体２３の周方向に伸びてヘアキャッチャー本体２３の外側に開口する係止溝２６を形成している。
【００１７】
ヘアキャッチャー本体２３の外周枠２４で囲まれた中央部の前後方向における片側領域はヘアキャッチャー本体２３の外周よりも窪ませた排水部２７としてあり、図示例の排水部２７は中心角が１８０度を超える平面視扇状をしている。排水部２７には上下に貫通する円形の排水孔２８を略全域に亘って多数形成してあり、排水時には排水部２７の多数の排水孔２８を介して排水がなされ、排水部２７にて毛髪等のゴミが捕集される。なお、排水部２７にはその左右両側から中央に向かって下り傾斜する水勾配を設けてあり、排水に含まれる毛髪等のゴミは排水部２７の最も下方に位置する左右方向中央部に主に堆積する。
【００１８】
ヘアキャッチャー本体２３の排水部２７と反対側で且つヘアキャッチャー本体２３の外周枠２４で囲まれた領域には排水孔２８がゴミで目詰まりした場合等に排水が溢れ出ることを防止するためにオーバーフロー水排出部２９を設けている。オーバーフロー水排出部２９は、ヘアキャッチャー本体２３から一体に立ち上げた立上部３５の上端部に多数のオーバーフロー孔３１を形成してなる。
【００１９】
立上部３５は有蓋筒状で平面視で円形のヘアキャッチャー本体２３の中心を中心とした中心角９０度以上の略扇状に形成してあり、ヘアキャッチャー本体２３から立ち上げた排水部２７と反対側の外側面は平面視でヘアキャッチャー本体２３と同心円弧状の弧状面３０となり、ヘアキャッチャー本体２３の最外周縁に沿っている。このため立上部３５は毛髪等の比較的長いゴミが引っ掛かり難くなっており、また、弧状面３０で排水を排水部２７へとスムーズに案内できる。
【００２０】
立上部３５はヘアキャッチャー１を排水口２に設置した状態で排水口２よりも上方に突出し、この立上部３５の上端を閉塞する水平な上面板部３４には上下に貫通するオーバーフロー孔３１を略全域に亘って多数形成してある。なお、ここで言う多数とは、従来のように筒状のオーバーフロー水排出部２９′の孔縁間にリブ４０を架設して２区画や４区画に区切ったものは含まれず、オーバーフロー水排出部２９の頂部にて毛髪等のゴミを充分に捕集できる程度の数を形成することを言い、具体的にはオーバフロー孔３１は５以上の複数形成されるものとする。各オーバーフロー孔３１は排水部２７に形成した排水孔２８と略同径の円形の孔からなり、各オーバーフロー孔３１は筒状の立上部３５の下端開口を通じて下方に連通している。従って、排水部２７の多数の排水孔２８がゴミで目詰まりする等して排水の水位が立上部３５よりも上方に位置すると、このオーバーフロー水を多数のオーバーフロー孔３１を介して排水できるようになっている。また、このオーバーフロー水には毛髪等のゴミが含まれている場合があるが、本例のヘアキャッチャー１にあっては上記のように立上部３５の上面板部３４に開口面積の小さいオーバーフロー孔３１を多数形成しているので、多数のオーバーフロー孔３１を形成した上面板部３４にて前記オーバーフロー水に含まれる毛髪等のゴミを排水部２７と同様に捕集できるようになっている。
【００２１】
また、立上部３５の上端部には指で摘むための摘み部３２を突設してあり、オーバーフロー孔３１を有する立上部３５とで取手を構成している。即ち立上部３５はオーバーフロー水を排出するための流路と取手の立ち上げ部分を兼用している。摘み部３２は板状に形成され、立上部３５の上面板部３４から円形のヘアキャッチャー本体２３の中心から離れる方向に突出している。摘み部３２はヘアキャッチャー１を排水口２に設置した状態で排水口２の周縁部（即ち取付用筒体１０の上側鍔部１３）の上方に位置するため、この摘み部３２を指で摘んで排水口２に設置したヘアキャッチャー１の取り出しを容易且つ清潔に行える。また、捕集した毛髪等のゴミを除去する際に、摘み部３２を指で摘んでヘアキャッチャー１を上下に反転して振る等してゴミを簡単に振り落とすこともできる。
【００２２】
上記ヘアキャッチャー１を既述の排水構造における排水口２に取り付けるには、ヘアキャッチャー本体２３を排水口２（即ち取付用筒体１０）に挿入した後にヘアキャッチャー１を周方向に回転し、これにより前記各係止溝２６の一端開口から排水口２の内面から突設した係止突部３３を挿入して係止する。また、手入れの際等に排水口２からヘアキャッチャー１を取り出すには上記取り付け状態にあるヘアキャッチャー１を取り付け時とは反対方向に回転し、各係止溝２６から係止突部３３を引き出して係止を解除し、この後、ヘアキャッチャー１を上方に引き出す。
【００２３】
以上、説明したヘアキャッチャー１は、既述のようにオーバーフロー水の排水時において多数のオーバーフロー孔３１を形成した立上部３５の上面板部３４によって毛髪等のゴミを捕集でき、これによりヘアキャッチャー１よりも下流側の配管等で構成される流路にゴミが流出して目詰まりが生じることを防止できる。
【００２４】
なお、上記ヘアキャッチャー１はヘアキャッチャー本体２３の片側から有蓋筒状の立上部３５を立ち上げ、該立上部３５の上面板部３４に多数のオーバーフロー孔３１を形成したが、図４に示す他例のヘアキャッチャー１のように、ヘアキャッチャー本体２３の中央部から有蓋筒状の立上部３５を立ち上げ、該立上部３５の上端を閉塞する上面板部３４に多数のオーバーフロー孔３１を形成しても良い。以下、他例のヘアキャッチャー１について詳述する。なお以下の説明では上記一例のヘアキャッチャー１と同一の構成については同一の番号を付与し、重複する説明は極力省略する。
【００２５】
図４に示す本例のヘアキャッチャー１は、平面視円形のヘアキャッチャー本体２３で主体を構成してある。ヘアキャッチャー本体２３の外周枠３９は円筒状に形成され、外周枠３９の外周面に係止突部３３に係止される一例のヘアキャッチャー１の係止溝２６と同様の係止溝（図示せず）を形成している。外周枠３９のヘアキャッチャー本体２３の中央部分を挟んで対向する２箇所には上方に向けて突出する取手４０を設けている。
【００２６】
ヘアキャッチャー本体２３の中央部にはヘアキャッチャー本体２３から一体に立ち上げた有蓋円筒状の立上部３５を形成している。なお、立上部３５には摘み部３２を設けていない。本例のヘアキャッチャー１はヘアキャッチャー本体２３の周枠と立上部３５で囲まれた環状の領域を排水部２７としてあり、該平面視円環状の排水部２７の全域に亘って円形の排水孔２８を多数形成している。そして、このヘアキャッチャー本体１の中央部から立ち上げた該オーバーフロー水排出部２９の円形の上面板部３４に排水孔２８と略同径の円形のオーバーフロー孔３１を多数（５以上の複数）形成している。
【００２７】
以上、説明した本例のヘアキャッチャー１にあっても、オーバーフロー水の排水時において多数のオーバーフロー孔３１を形成した立上部３５の上面板部３４によって毛髪等のゴミを捕集できる。
【図面の簡単な説明】
【００２８】
【図１】本発明の実施の形態の一例のヘアキャッチャーを示す平面図である。
【図２】同上のヘアキャッチャーの側面図である。
【図３】同上のヘアキャッチャーを設置した排水構造を示す断面図である。
【図４】他例のヘアキャッチャーを示す平面図である。
【図５】従来のヘアキャッチャーの一例を示す平面図である。
【図６】従来のヘアキャッチャーの他例を示す平面図である。
【符号の説明】
【００２９】
１  ヘアキャッチャー
２７  排水部
２８  排水孔
２９  オーバーフロー水排出部
３１  オーバーフロー孔
３４  上面板部
３５  立上部
【図１】
0005270881.tif 000002
【図２】
0005270881.tif 000003
【図３】
0005270881.tif 000004
【図４】
0005270881.tif 000005
【図５】
0005270881.tif 000006
【図６】
0005270881.tif 000007